(57)【要約】【課題】  催事会場などで、主催者が演出として表示する映像の上に、常に参加者同士のコミュニケーションとなるメッセージや画像などの表示を合成させて、インタラクティブな催事を実施する。【解決手段】  携帯端末１０は画像データが添付されたメッセージをメール送信し、これを受信部４１がメールサーバ３０から受信する。照合部４３は不正メッセージデータベース４２３と照合し一致したメッセージを削除する。外部映像出力部４４は記憶部４２から画像データが添付されたメッセージを読み出して画像データとメッセージとを含むメッセージ・画像画面を作成して外部出力する。その他映像出力端末５０はメッセージ・画像画面に合成するための映像を出力する。映像合成装置６０はメッセージ・画像画面と映像とを合成して合成画像を生成する。映像表示装置７０は合成画像を表示する。【選択図】      図１
2005252546.tif 000002
【特許請求の範囲】
【請求項１】
画像データが添付されたメッセージをメール受信して記憶部に格納する受信部と、前記記憶部から画像データが添付されたメッセージを読み出して前記画像データと前記メッセージとを含むメッセージ・画像画面を作成して外部出力する外部映像出力部とを有するデータ受信端末と、
前記メッセージ・画像画面に合成するための映像を出力する映像出力端末と、
前記メッセージ・画像画面と前記映像出力端末から出力された映像とを合成して合成画像を生成する映像合成装置と、
前記合成画像を表示する映像表示装置とを備えたことを特徴とするデータ表示システム。
【請求項２】
前記データ受信端末は、さらに、照合部と、前記記憶部内に格納される不正メッセージデータベースとを有し、前記照合部は前記不正メッセージデータベースからデータを順次読み出して前記メッセージと照合し一致したデータが前記メッセージ内にあった場合は前記メッセージを削除することを特徴とする請求項１記載のデータ表示システム。
【請求項３】
前記映像合成装置は、前記合成画像生成時にクロマキー処理を施す手段を有することを特徴とする請求項１または２記載のデータ表示システム。
【請求項４】
さらに、ウェブサーバを備え、前記データ受信端末はさらに統計処理部を有し、前記ウェブサーバはウェブサイト画面をユーザ端末に送信する手段と前記ユーザ端末から前記ウェブサイト画面に入力された入力データを受信してメール送信する手段とを有し、
前記受信部は前記入力データをメール受信して前記記憶部に格納する手段を有し、
前記統計処理部は、前記記憶部から前記入力データを読み出して統計処理する手段を有し、
前記外部映像出力部は、統計処理結果を外部出力する手段を有することを特徴とする請求項１、２または３記載のデータ表示システム。
【請求項５】
前記映像表示装置が催事の会場に設置され、前記メッセージが前記催事への参加者が所有するユーザ端末から送信されたものであることを特徴とする請求項１、２、３または４記載のデータ表示システム。
【請求項６】
画像データが添付されたメッセージをメール受信して記憶部に格納するステップと、前記記憶部から画像データが添付されたメッセージを読み出して前記画像データと前記メッセージとを含むメッセージ・画像画面を作成して外部出力するステップと、
前記メッセージ・画像画面に合成するための映像を出力するステップと、
前記メッセージ・画像画面と前記映像とを合成して合成画像を生成するステップと、
前記合成画像を表示するステップとを備えたことを特徴とするデータ表示方法。
【請求項７】
前記記憶部内に格納される不正メッセージデータベースからデータを順次読み出して前記メッセージと照合し一致したデータが前記メッセージ内にあった場合は前記メッセージを削除するステップを備えたことを特徴とする請求項６記載のデータ表示方法。
【請求項８】
前記合成画像生成時にクロマキー処理を施すステップを備えたことを特徴とする請求項６または７記載のデータ表示方法。
【請求項９】
ウェブサイト画面をユーザ端末に送信するステップと、前記ユーザ端末から前記ウェブサイト画面に入力された入力データを受信してメール送信するステップと、
前記前記入力データをメール受信して前記記憶部に格納するステップと、
前記記憶部から前記入力データを読み出して統計処理するステップと、
統計処理結果を外部出力するステップとを備えたことを特徴とする請求項６、７または８記載のデータ表示方法。
【請求項１０】
画像データが添付されたメッセージをメール受信して記憶部に格納する受信部と、前記記憶部から画像データが添付されたメッセージを読み出して前記画像データと前記メッセージとを含むメッセージ・画像画面を作成して外部出力する外部映像出力部とを有することを特徴とするデータ受信端末。
【請求項１１】
さらに、照合部と、前記記憶部内に格納される不正メッセージデータベースとを有し、前記照合部は前記不正メッセージデータベースからデータを順次読み出して前記メッセージと照合し一致したデータが前記メッセージ内にあった場合は前記メッセージを削除することを特徴とする請求項１０記載のデータ受信端末。
【請求項１２】
さらに、統計処理部を有し、前記受信部はユーザ端末がウェブサイト画面に入力した入力データをメール受信して前記記憶部に格納する手段を有し、
前記統計処理部は、前記記憶部から前記入力データを読み出して統計処理する手段を有し、
前記外部映像出力部は、統計処理結果を外部出力する手段を有することを特徴とする請求項１０または１１記載のデータ受信端末。
【請求項１３】
画像データが添付されたメッセージをメール受信して記憶部に格納する処理と、前記記憶部から画像データが添付されたメッセージを読み出して前記画像データと前記メッセージとを含むメッセージ・画像画面を作成して外部出力する処理とをコンピュータに実行させるためのプログラム。
【請求項１４】
前記記憶部内に格納される不正メッセージデータベースからデータを順次読み出して前記メッセージと照合し一致したデータが前記メッセージ内にあった場合は前記メッセージを削除する処理をコンピュータに実行させるための請求項１３記載のプログラム。
【請求項１５】
ユーザ端末がウェブサイト画面に入力した入力データをメール受信して前記記憶部に格納する処理と、前記記憶部から前記入力データを読み出して統計処理する処理と、統計処理結果を外部出力する処理とをコンピュータに実行させるための請求項１３または１４記載のプログラム。
【発明の詳細な説明】
【技術分野】
【０００１】
本発明はデータ表示システム、データ表示方法、データ受信端末およびプログラムに関し、特に、催事会場などで参加者のメッセージを表示するデータ表示システム、データ表示方法、データ受信端末およびプログラムに関する。
【背景技術】
【０００２】
イベントやパーティなどの催事は、その主催者がある特定な目的のもと、特定の期間、特定の場所で特定の参加者を集めて情報を体感させる、ある種のコミュニケーション手法であると言える。しかしながら参加者への情報提供内容は主催者からの一方通行的な演出によるものが多く、見知らぬ参加者同士で新たなコミュニケーションが生まれる可能性は低かった。
【０００３】
携帯端末から公衆のデータ掲示装置にメッセージを表示するシステムが特許文献１に記載されている。図１５に示すように、携帯端末５１０とデータ掲示装置５７０とネットワーク６００とで構成されている。携帯端末５１０から送信されたメッセージは、集まった人たちから見る事ができる位置にあるデータ掲示表示装置５７０の表示装置５７１に表示される。
【０００４】
【特許文献１】特開２００２−２７５４８号公報（第７−１０頁、図１）
【発明の開示】
【発明が解決しようとする課題】
【０００５】
特許文献１に記載されたシステムでは、表示装置５７１には携帯端末５１０から送信されたメッセージ（文字情報）のみしか表示することができない。イベントやパーティなどの催事では、主催者が演出として、ビデオ映像などを用意することがあるが、それらの映像素材と同時表示することができない。
【０００６】
また、参加者から意見などを収集してその結果を演出用ビデオ映像と同時表示することができない。
【０００７】
本発明の目的は、主催者が演出として表示する映像の上に、常に参加者同士のコミュニケーションとなるメッセージや画像などの表示を合成させて、よりインタラクティブな催事を実施するためのデータ表示システム、データ表示方法、データ受信端末およびプログラムを提供することにある。
【０００８】
本発明の他の目的は、主催者が演出として表示する映像の上に、参加者へのアンケート結果などの表示を合成させて、よりインタラクティブな催事を実施するためのデータ表示システム、データ表示方法、データ受信端末およびプログラムを提供することにある。
【課題を解決するための手段】
【０００９】
本発明のデータ表示システムは、画像データが添付されたメッセージをメール受信して記憶部に格納する受信部と、前記記憶部から画像データが添付されたメッセージを読み出して前記画像データと前記メッセージとを含むメッセージ・画像画面を作成して外部出力する外部映像出力部とを有するデータ受信端末と、
前記メッセージ・画像画面に合成するための映像を出力する映像出力端末と、
前記メッセージ・画像画面と前記映像出力端末から出力された映像とを合成して合成画像を生成する映像合成装置と、
前記合成画像を表示する映像表示装置とを備えたことを特徴とする。
【００１０】
本発明のデータ表示システムは、前記データ受信端末は、さらに、照合部と、前記記憶部内に格納される不正メッセージデータベースとを有し、前記照合部は前記不正メッセージデータベースからデータを順次読み出して前記メッセージと照合し一致したデータが前記メッセージ内にあった場合は前記メッセージを削除することを特徴としてもよい。
【００１１】
本発明のデータ表示システムは、前記映像合成装置は、前記合成画像生成時にクロマキー処理を施す手段を有することを特徴としてもよい。
【００１２】
本発明のデータ表示システムは、さらに、ウェブサーバを備え、前記データ受信端末はさらに統計処理部を有し、前記ウェブサーバはウェブサイト画面をユーザ端末に送信する手段と前記ユーザ端末から前記ウェブサイト画面に入力された入力データを受信してメール送信する手段とを有し、
前記受信部は前記入力データをメール受信して前記記憶部に格納する手段を有し、
前記統計処理部は、前記記憶部から前記入力データを読み出して統計処理する手段を有し、
前記外部映像出力部は、統計処理結果を外部出力する手段を有することを特徴としてもよい。
【００１３】
本発明のデータ表示システムは、前記映像表示装置が催事の会場に設置され、前記メッセージが前記催事への参加者が所有するユーザ端末から送信されたものであることを特徴としてもよい。
【００１４】
本発明のデータ表示方法は、画像データが添付されたメッセージをメール受信して記憶部に格納するステップと、前記記憶部から画像データが添付されたメッセージを読み出して前記画像データと前記メッセージとを含むメッセージ・画像画面を作成して外部出力するステップと、
前記メッセージ・画像画面に合成するための映像を出力するステップと、
前記メッセージ・画像画面と前記映像とを合成して合成画像を生成するステップと、
前記合成画像を表示するステップとを備えたことを特徴とする。
【００１５】
本発明のデータ表示方法は、前記記憶部内に格納される不正メッセージデータベースからデータを順次読み出して前記メッセージと照合し一致したデータが前記メッセージ内にあった場合は前記メッセージを削除するステップを備えたことを特徴としてもよい。
【００１６】
本発明のデータ表示方法は、前記合成画像生成時にクロマキー処理を施すステップを備えたことを特徴としてもよい。
【００１７】
本発明のデータ表示方法は、ウェブサイト画面をユーザ端末に送信するステップと、前記ユーザ端末から前記ウェブサイト画面に入力された入力データを受信してメール送信するステップと、
前記前記入力データをメール受信して前記記憶部に格納するステップと、
前記記憶部から前記入力データを読み出して統計処理するステップと、
統計処理結果を外部出力するステップとを備えたことを特徴としてもよい。
【００１８】
本発明のデータ受信端末は、画像データが添付されたメッセージをメール受信して記憶部に格納する受信部と、前記記憶部から画像データが添付されたメッセージを読み出して前記画像データと前記メッセージとを含むメッセージ・画像画面を作成して外部出力する外部映像出力部とを有することを特徴とする。
【００１９】
本発明のデータ受信端末は、さらに、照合部と、前記記憶部内に格納される不正メッセージデータベースとを有し、前記照合部は前記不正メッセージデータベースからデータを順次読み出して前記メッセージと照合し一致したデータが前記メッセージ内にあった場合は前記メッセージを削除することを特徴としてもよい。
【００２０】
本発明のデータ受信端末は、さらに、統計処理部を有し、前記受信部はユーザ端末がウェブサイト画面に入力した入力データをメール受信して前記記憶部に格納する手段を有し、
前記統計処理部は、前記記憶部から前記入力データを読み出して統計処理する手段を有し、
前記外部映像出力部は、統計処理結果を外部出力する手段を有することを特徴としてもよい。
【００２１】
本発明のプログラムは、画像データが添付されたメッセージをメール受信して記憶部に格納する処理と、前記記憶部から画像データが添付されたメッセージを読み出して前記画像データと前記メッセージとを含むメッセージ・画像画面を作成して外部出力する処理とをコンピュータに実行させる。
【００２２】
本発明のプログラムは、前記記憶部内に格納される不正メッセージデータベースからデータを順次読み出して前記メッセージと照合し一致したデータが前記メッセージ内にあった場合は前記メッセージを削除する処理をコンピュータに実行させるようにしてもよい。
【００２３】
本発明のプログラムは、ユーザ端末がウェブサイト画面に入力した入力データをメール受信して前記記憶部に格納する処理と、前記記憶部から前記入力データを読み出して統計処理する処理と、統計処理結果を外部出力する処理とをコンピュータに実行させるようにしてもよい。
【発明の効果】
【００２４】
本発明によれば、メール受信したメッセージと画像とを映像に合成して表示するため、催事会場での参加者同士および主催者のインタラクティブなコミュニケーションが可能となる。
【発明を実施するための最良の形態】
【００２５】
本発明を実施するための最良の形態について図面を参照して詳細に説明する。図１は本発明の第１の実施の形態の構成を示すブロック図である。第１の実施の形態は、携帯端末１０と、メールサーバ３０と、データ受信端末４０と、その他映像出力端末５０と、映像合成装置６０と、映像表示装置７０を含む。携帯端末１０と、メールサーバ３０と、データ受信端末４０とはネットワークを介して接続されている。ネットワークはインターネット１００であるとして説明する。
【００２６】
携帯端末１０は、イベントやパーティなどの催事への参加者がメッセージや画像などのデータを送信するためのユーザ端末である。市販の携帯電話端末、ＰＨＳ（登録商標：Personal handy-phone system）端末、もしくはインターネットメール送信機能を備えた携帯型コンピュータシステムである。携帯端末１０は、図示しないが、データを入力するための入力部、データを表示するための表示部、データを一時記憶するための記憶部を有する。携帯端末１０は、さらに、インターネットメールを送信する機能、および送信するインターネットメールに画像データを添付する機能を備える。
【００２７】
メールサーバ３０は、インターネットメールを受信し一時貯蔵するための装置であり、通常はＰＯＰ（Post Office Protocol）サーバ機能を備えたコンピュータシステムである。メールサーバ３０は携帯端末１０から送信されたインターネットメールを一時的に記憶部（図示せず）に貯蔵する。
【００２８】
データ受信端末４０は、催事の主催者が使用するコンピュータシステムである。データ受信端末４０は、受信部４１、記憶部４２、照合部４３、外部映像出力部４４を有する。データ受信端末４０は、さらに、図示しないが、データを入力するための入力部とデータを画面表示するための表示部を有する。受信部４１は、メールサーバ３０からインターネットメールを受信する機能を有する。記憶部４２は、メール受信キュー４２１、受信データベース４２２、不正メッセージデータベース４２３を有する。メール受信キュー４２１は、受信したメールを一時的に格納する。受信データベース４２２は、メールサーバ３０から受信したメールデータである。不正メッセージデータベース４２３は、催事会場の映像表示装置７０に表示させたくない単語や文章を登録する。表示させたくない単語や文章とは、たとえば公序良俗に反するようなメッセージである。外部映像出力部４４は、データ受信端末４０の表示画面の特定部分を外部映像出力するデュアルディスプレイ機能を有し、受信したデータを受信順に外部映像出力する。
【００２９】
その他映像出力端末５０は、催事会場に設置されたビデオプレーヤやＤＶＤ（Digital Versatile Disc）プレーヤ等の映像出力装置、もしくは映像を手動で切り替えることが出来る映像出力端末である。ここで出力される映像は催事の参加者から送信されたメッセージや画像などのデータを表示する際に、その背景用に合成させるための映像である。
【００３０】
映像合成装置６０は、合成部６１、クロマキー部６２を有する。合成部６１は、データ受信端末４０の映像出力と、その他映像出力端末５０の映像出力を合成する機能を持つ。クロマキー部６２は、データ受信端末４０から出力される映像データのうち、特定の色を抜いて合成するクロマキー機能を持つ。
【００３１】
映像表示装置７０は、催事会場に設置された大型のモニタもしくは映写機等によるスクリーン表示であり、映像合成装置６０で合成された映像を表示する機能を持つ。
【００３２】
次に、第１の実施の形態の動作について説明する。図２は第１の実施の形態の全体動作を示すフローチャートである。携帯端末１０はインターネットメールを送信する（ステップＡ１）。メールサーバ３０は、携帯端末１０から受信したインターネットメールを貯蔵する（ステップＡ２）。データ受信端末４０は、メールサーバ３０に貯蔵されたインターネットメールを受信し（ステップＡ３）、受信内容を外部映像出力する（ステップＡ４）。
【００３３】
図３は携帯端末１０の動作を示すフローチャートである。まず催事の参加者は携帯端末１０のインターネットメール作成機能を起動する（ステップＢ１）。参加者は、あて先メールアドレスはあらかじめ告知されている送信専用メールアドレスを入力し、メール本文欄にメッセージを入力する（ステップＢ２）。また、メッセージと共に表示させたい画像データがある場合は、画像データをインターネットメールの添付ファイルの形式で入力する（ステップＢ３、Ｂ４）。参加者は、入力が完了したら、インターネットメールの送信を行う（ステップＢ５）。
【００３４】
メールサーバ３０では、携帯端末１０から送信されたメールを一時的に記憶部に備蓄する。メールサーバ３０は、データ受信端末４０からのメール受信要求を待つ。
【００３５】
データ受信端末４０は、インターネットメールを受信する機能と、受信したデータを外部映像出力する機能に大別される。データ受信端末４０を起動すると、両機能が起動する。
【００３６】
図４はインターネットメールを受信する機能の動作を示すフローチャートである。受信部４１は、まず停止フラグの状態を確認する（ステップＣ１）。受信部４１は、停止フラグが立っていれば、終了状態に遷移する。停止フラグが立っていない場合はメールサーバ３０からインターネットメールを受信する（ステップＣ２）。メール受信の際にメールサーバ３０の記憶部からは受信したメールは削除される。受信部４１は、受信したメールを一時的にメール受信キュー４２１に保存する（ステップＣ３）。受信部４１は、次にメール受信キュー４２１の状態をチェックし（ステップＣ４）、キューが存在する場合は、キューの受信メールを１件取得して照合部４３に渡す（ステップＣ５）。照合部４３は、記憶部４２から不正メッセージデータベース４２３に格納された内容を順次読み出し、受信メールと照合を行う（ステップＣ６）。照合部４３の照合の結果、不正メッセージデータベース４２３に該当するデータがあった場合は、照合部４３はそのキューを削除する（ステップＣ８）。不正メッセージデータベース４２３に該当するデータがない場合、受信部４１は、そのキューのメッセージと画像などのデータを受信データベース４２２に保存する（ステップＣ７）。取得した１件のキューを削除（ステップＣ８）後、受信部４１は、ステップＣ４のメール受信キュー存在チェックに遷移し、メール受信キューが存在する間はステップＣ５からＣ８を繰り返す。受信部４１は、メール受信キュー４２１にデータが存在しない場合は、一定時間の待機を行い（ステップＣ９）、待機後、ステップＣ１の停止フラグチェックへ遷移する。
【００３７】
本システムは参加者からのメッセージをリアルタイムに表示するシステムのため、照合部４３のチェックは、不適切なメッセージの表示を未然に防ぐ効果がある。
【００３８】
図５は、データ受信端末４０の受信データを外部映像出力する機能の動作を示すフローチャートである。外部映像出力部４４は、最初に外部映像出力の開始を行う（ステップＤ１）。ここで外部映像出力は、コンピュータシステムの表示画面の特定部分を外部映像出力するデュアルディスプレイ機能を用いる。次に停止フラグの状態をチェックし、フラグが立っていなければ、受信データベース４２２からデータを読み込む（ステップＤ３）。この際、読み込むデータは受信データベース４２２に登録されたデータで、未読み込みのものから読み込んでいく。既に全部のデータが読み込み済みの場合は、一番最近に受信データベース４２２に登録されたデータを読み込む。外部映像出力部４４は、次に、読み込んだデータが画像データを含むかどうかを判別する（ステップＤ４）。画像データを含む場合、外部映像出力の内容を画像ありのフォーマットで更新する（ステップＤ５）。画像ありのフォーマットで更新した映像例を図６に示す。図６中のメッセージ欄の部分、画像データの部分には読み込んだデータのメッセージ、画像データがそれぞれ反映される。外部映像出力部４４は、ステップＤ４で画像データを含まない場合は外部映像出力の内容を画像なしのフォーマットで更新する（ステップＤ６）。画像なしのフォーマットで更新した映像例を図７に示す。図７中のメッセージ欄は、読み込んだデータのメッセージ部が反映される。外部映像出力部４４は、外部映像出力内容の反映後、一定時間の待機を行う（ステップＤ７）。待機後、ステップＤ２の停止フラグチェックへ遷移する。画像データの部分には読み込んだデータのメッセージ、画像データがそれぞれ反映される。外部映像出力部４４は、停止フラグが立っている場合は、外部映像出力の停止（ステップＤ８）を行い、終了する。
【００３９】
映像合成装置６０では、合成部６１で、その他映像出力端末５０の映像（図８）とデータ受信端末４０から出力されている映像（図６もしくは図７）を入力し合成を行う。合成を行う際、クロマキー部６２で、データ受信端末４０から出力されている映像には特定の色を抜くクロマキー処理を施し、画像付きメッセージの場合は図９、画像なしメッセージの場合は図１０のように合成し外部映像出力する。クロマキー処理を施すことにより、携帯端末１０からメール送信したメッセージや画像が読みやすくなる。その他映像出力端末５０の映像は、あらかじめ主催者が演出効果を考えて用意しておく。表示するメッセージからキーワードを抽出して、キーワードにマッチした映像を出力するようにして、より効果的な演出を行うようにしてもよい。
【００４０】
映像表示装置７０では、映像合成装置６０から出力された映像を催事の参加者に見やすい位置で表示を行う。
【００４１】
第１の実施の形態によれば、催事の参加者は参加者自身のメッセージや画像などのデータを自分の携帯端末を用いて、手軽に送信することができる。また送信したデータはほぼリアルタイムで会場内の映像表示装置に背景画像とともに表示され、他の参加者にも伝えることが出来る。よって、催事会場での参加者同士のインタラクティブなコミュニケーションが可能となる。
【００４２】
次に、本発明の第２の実施の形態について説明する。図１１は第２の実施の形態の構成を示すブロック図である。第１の実施の形態（図１）の構成に加えてウェブサーバ１２０を含む。また、データ受信端末４０は統計処理部１４５を有する。第２の実施の形態では、催事の参加者がウェブサーバ１２０が提供するウェブサイトを経由して、メールサーバ３０にインターネットメールを送信する点が第１の実施の形態と異なる。また、ウェブサイトの操作性を活かし設問を設置することにより、ウェブサーバ１２０が選択肢などの回答を受信し、データ受信端末４０で統計処理を行い映像表示装置７０に出力する点で異なる。
【００４３】
図１２は第２の実施の形態の全体動作を示すフローチャートである。携帯端末１０はウェブサイトを閲覧するためにウェブサーバ１２０にアクセスする（ステップＥ１）。ウェブサーバ１２０はウェブサイトの画面を携帯端末１０へ送信し、携帯端末１０の表示部に表示させる（ステップＥ２）。参加者は携帯端末１０に表示されたウェブサイト画面にメッセージや設問回答を入力してウェブサーバ１２０に送信する（ステップＥ３）。ウェブサーバ１２０は携帯端末１０に入力されたメッセージや設問回答をメールサーバ３０にメール送信する（ステップＥ４）。メールサーバ３０は、ウェブサーバ１２０から受信したインターネットメールを記憶部に貯蔵する（ステップＥ５）。データ受信端末４０は、メールサーバ３０に貯蔵されたインターネットメールを受信し（ステップＥ６）、受信内容を外部映像出力する（ステップＥ７）。
【００４４】
第２の実施の形態の動作を第１の実施の形態と異なる点を詳細に説明する。催事の参加者は携帯端末１０のウェブサイト表示機能を使い、ウェブサーバ１２０が提供するウェブサイト画面を表示部に表示する。図１３はウェブサイト画面の一例を示す図である。ウェブサイト画面は、メッセージ入力欄１２１、選択肢１２２、送信ボタン１２３を含む。参加者は携帯端末１０の入力部を使用して、メッセージをメッセージ入力欄１２１に入力し、選択肢１２２に正解と思う項目を入力し、送信ボタン１２３を押すことで入力データがウェブサーバ１２０に送信される。ウェブサーバ１２０は、メッセージ入力欄１２１の入力データと選択肢１２２の選択データとをインターネットメールの本文に記述し、メールサーバ３０に送信する。
【００４５】
データ受信端末４０では、メールサーバ３０からメールを受信部４１が受信し、記憶部４２の受信データベース４２２に格納する。受信後、統計処理部１４５が選択肢のデータを、受信データベース４２２に保存されている過去に受信済みのデータを読み出して、統計処理を施す。統計処理部１４５は統計処理を行った結果データとメッセージを受信データベース４２２に登録する。データ受信端末４０からの出力する映像の内容は図１４に示すように、メッセージ表示部に加え、統計結果も同時に出力される。これ以降の映像表示装置７０への流れは第１の実施の形態と同様である。
【００４６】
第２の実施の形態では、参加者がウェブサイト画面に入力した設問やアンケート回答の統計処理結果を背景画像と合成して表示できるため、よりインタラクティブな催事とすることができる。
【００４７】
本発明の第１または第２の実施の形態の受信部４１、照合部４３、外部映像出力部４４、統計処理部１４５の動作はコンピュータ・プログラム処理により行わせることが可能である。すなわち、記録媒体に記録したプログラムをデータ受信端末４０に読み込ませるか、あるいは、ネットワークからプログラムをデータ受信端末４０に読み込ませて、第１または第２の実施の形態で説明した動作を実行させる。
【図面の簡単な説明】
【００４８】
【図１】第１の実施の形態の構成を示すブロック図である。
【図２】第１の実施の形態の全体動作を示すフローチャートである。
【図３】携帯端末の動作を示すフローチャートである。
【図４】インターネットメールを受信する機能の動作を示すフローチャートである。
【図５】受信データを外部映像出力する機能の動作を示すフローチャートである。
【図６】画像ありのフォーマットで更新した映像例を示す図である。
【図７】画像なしのフォーマットで更新した映像例を示す図である。
【図８】その他映像出力端末の映像例を示す図である。
【図９】画像付きメッセージの場合の合成出力映像例を示す図である。
【図１０】画像なしメッセージの場合の合成出力映像例を示す図である。
【図１１】第２の実施の形態の構成を示すブロック図である。
【図１２】第２の実施の形態の全体動作を示すフローチャートである。
【図１３】ウェブサイト画面の一例を示す図である。
【図１４】第２の実施の形態のデータ受信端末からの出力映像例を示す図である。
【図１５】従来技術の構成を示すブロック図である。
【符号の説明】
【００４９】
１０    携帯端末
３０    メールサーバ
４０    データ受信端末
４１    受信部
４２    記憶部
４３    照合部
４４    外部映像出力部
５０    その他映像出力端末
６０    映像合成装置
６１    合成部
６２    クロマキー部
７０    映像表示装置
１００    インターネット
１２０    ウェブサーバ
１４５    統計処理部
４２１    メール受信キュー
４２２    受信データベース
４２３    不正メッセージデータベース
【図１】
2005252546.tif 000003
【図２】
2005252546.tif 000004
【図３】
2005252546.tif 000005
【図４】
2005252546.tif 000006
【図５】
2005252546.tif 000007
【図６】
2005252546.tif 000008
【図７】
2005252546.tif 000009
【図８】
2005252546.tif 000010
【図９】
2005252546.tif 000011
【図１０】
2005252546.tif 000012
【図１１】
2005252546.tif 000013
【図１２】
2005252546.tif 000014
【図１３】
2005252546.tif 000015
【図１４】
2005252546.tif 000016
【図１５】
2005252546.tif 000017